(57)【要約】      （修正有）【課題】パワーオフ時に電子装置が消費する略全ての電力を低減する機能を提供する。【解決手段】システムは、電源モード選択回路３００及び入力装置を含む。入力装置は、電源モード選択情報（「オフ」、「スタンバイ」、「オン」）を、ネットワークを経由して電源モード選択受信部３４０に送信する。電源モード選択回路は、待機部３８５に電力を供給するスタンバイスイッチ３７５及びそれを制御する切り替え部３６０及び主要部３８０に電力を供給するメインスイッチ３７０を含む。切り替え部は、メインスイッチを制御する。電源モード選択受信部及び切り替え部には、主要部及び待機部とは独立して電力を供給する。電源モード選択情報がオフモードを示している場合には、電源モード選択回路は、電力を電源モード選択受信部及び切り替え部に供給し、主要部及び待機部には供給しない。【選択図】図３
2019208355.tif 000002
【特許請求の範囲】
【請求項１】
第一の部品に電力を供給可能な第一の電源部と、
選択された電源モードの指示を受信可能な電源モード選択受信部と、
前記選択された電源モードに基づいて、前記第一の部品が前記第一の電源部からの電力を受信するか否かを制御する切り替え部と、を備え、
前記電源モード選択受信部および前記切り替え部が、前記第一の部品とは独立して電力を受信する、電源モード制御装置。
【請求項２】
第二の部品に電力を供給可能な、前記第一の電源部とは独立している第二の電源部をさらに備え、
前記切り替え部が、前記選択された電源モードに基づいて、前記第二の部品が前記第二の電源部からの電力を受信するか否かを制御し、
前記電源モード選択受信部および前記切り替え部が、前記第二の部品とは独立して電力を受信する、請求項１記載の電源モード制御装置。
【請求項３】
前記電源モード選択受信部がオフ電源モードの指示を受信すると、前記切り替え部が、前記第一の電源部および前記第二の電源部に、前記第一の部品および前記第二の部品への電力を遮断させる、請求項２記載の電源モード制御装置制御装置。
【請求項４】
前記切り替え部が、前記第一の部品および前記第二の部品が３つの異なる電源モードに基づいて電力を受信するか否かを制御するように構成されている、請求項２記載の電源モード制御装置。
【請求項５】
前記電源モード選択受信部が、オフ電源モードの指示、スタンバイ電源モードの指示、またはオン電源モードの指示の少なくとも１つを受信するように構成され、
前記切り替え部が、
前記電源モード選択受信部が前記オフ電源モードの指示を受信すると、前記第一の電源部および前記第二の電源部に、前記第一の部品および前記第二の部品への電力を遮断させ、
前記電源モード選択受信部が前記スタンバイ電源モードの指示を受信すると、前記第一の電源部に前記第一の部品に電力を供給させ、かつ前記第二の電源部に前記第二の部品への電力を遮断させ、
前記電源モード選択受信部が前記オン電源モードの指示を受信すると、前記第一の電源部および前記第二の電源部に、前記第一の部品および前記第二の部品に電力を供給させるように構成されている、請求項２記載の電源モード制御装置。
【請求項６】
前記切り替え部が、
前記電源モード選択受信部からオフ電源モードの指示を受信し、前記第一の部品および前記第二の部品への電力を遮断し、
前記第一の部品および前記第二の部品を含む電子装置についてのパワーオンイベントに関する情報を受信し、
前記パワーオンイベントに関する前記情報に基づいて、前記第一の電源部に前記第一の部品に電力を供給させ、かつ前記第二の電源部に前記第二の部品への電力を遮断させるように構成されている、請求項２記載の電源モード制御装置。
【請求項７】
前記切り替え部が、前記電源モード選択受信部から前記オフ電源モードの前記指示を受信すると、前記パワーオンイベントに関する前記情報を受信するようにさらに構成されている、請求項６記載の電源モード制御装置。
【請求項８】
前記パワーオンイベントが、前記電子装置についてのスケジュールされた記録を含む、請求項７記載の電源モード制御装置。
【請求項９】
電子装置と、
選択された電源モードの指示を、ネットワークを経由して前記電子装置に送信する入力装置と、を備え、
前記電子装置が、
第一の部品に電力を供給可能な第一の電源部と、
前記選択された電源モードの前記指示を受信可能な電源モード選択受信部と、
前記選択された電源モードに基づいて、前記第一の部品が前記第一の電源部からの電力を受信するか否かを制御する切り替え部と、を備え、
前記電源モード選択受信部および前記切り替え部が、前記第一の部品とは独立して電力を受信する、電子システム。
【請求項１０】
前記電子装置が、第二の部品に電力を供給可能な、前記第一の電源部とは独立している第二の電源部をさらに備え、
前記切り替え部が、前記選択された電源モードに基づいて、前記第二の部品が前記第二の電源部からの電力を受信するか否かを制御し、
前記電源モード選択受信部および前記切り替え部が、前記第二の部品とは独立して電力を受信する、請求項９記載の電子システム。
【請求項１１】
前記電源モード選択受信部がオフ電源モードの指示を受信すると、前記切り替え部が、前記第一の電源部および前記第二の電源部に、前記第一の部品および前記第二の部品への電力を遮断させる、請求項１０記載の電子システム。
【請求項１２】
前記入力装置が、
オン電源モード、オフ電源モード、およびスタンバイ電源モードの選択を受信するように構成されている一つまたは複数の入力機構を備え、
前記切り替え部が、前記電源モードの前記受信した選択に基づいて、前記第一の部品および前記第二の部品が電力を受信するか否かを制御するように構成されている、請求項１０記載の電子システム。
【請求項１３】
前記電源モード選択受信部が、オフ電源モードの指示、スタンバイ電源モードの指示、またはオン電源モードの指示の少なくとも１つを受信するように構成され、
前記切り替え部が、
前記電源モード選択受信部が前記オフ電源モードの指示を受信すると、前記第一の電源部および前記第二の電源部に、前記第一の部品および前記第二の部品への電力を遮断させ、
前記電源モード選択受信部が前記スタンバイ電源モードの指示を受信すると、前記第一の電源部に前記第一の部品に電力を供給させ、かつ前記第二の電源部に前記第二の部品への電力を遮断させ、
前記電源モード選択受信部が前記オン電源モードの指示を受信すると、前記第一の電源部および前記第二の電源部に、前記第一の部品および前記第二の部品に電力を供給させるように構成されている、請求項１０記載の電子システム。
【請求項１４】
前記切り替え部が、
前記電源モード選択受信部からオフ電源モードの指示を受信し、前記第一の部品および前記第二の部品への電力を遮断し、
前記第一の部品および前記第二の部品を含む電子装置についてのパワーオンイベントに関する情報を受信し、
前記パワーオンイベントに関する前記情報に基づいて、前記第一の電源部に前記第一の部品に電力を供給させ、かつ前記第二の電源部に前記第二の部品への電力を遮断させるように構成されている、請求項１０記載の電子システム。
【請求項１５】
前記切り替え部が、
前記オフ電源モードの前記電源モード選択受信部からの前記指示の受信に応答して、前記パワーオンイベントに関する前記情報を受信するようにさらに構成されている、請求項１４記載の電子システム。
【請求項１６】
前記パワーオンイベントが、前記電子装置についてのスケジュールされた記録を含む、請求項１５記載の電子システム。
【請求項１７】
第一の部品および第二の部品を含む電子装置に供給される電力を管理するための方法であって、
前記第一の部品および前記第二の部品とは独立して電源モード選択受信部に電力を供給することと、
前記電源モード選択受信部によって、選択された電源モードの指示を受信することと、
前記選択された電源モードの前記指示に基づいて、前記第一の部品が第一の電源部からの電力を受信するか否か、および前記第二の部品が第二の電源部からの電力を受信するか否かを制御することと、を含む、方法。
【請求項１８】
前記電源モード選択受信部がオフ電源モードの指示を受信すると、前記第一の電源部に前記第一の部品への電力を遮断させ、かつ前記第二の電源部に前記第二の部品への電力を遮断させることをさらに含む、請求項１７記載の方法。
【請求項１９】
オン電源モード、スタンバイ電源モード、およびオフ電源モードを含む少なくとも３つの異なる電源モードに基づいて、前記第一の部品および前記第二の部品が電力を受信するか否かを制御することをさらに含む、請求項１７記載の方法。
【請求項２０】
オフ電源モードの指示、スタンバイ電源モードの指示、またはオン電源モードの指示の少なくとも１つを受信することと、
前記オフ電源モードの前記指示を受信した場合に、前記第一の電源部および前記第二の電源部を制御することによって、前記第一の部品および前記第二の部品への電力を遮断することと、
前記スタンバイ電源モードの前記指示を受信した場合に、前記第一の電源部に前記第一の部品に電力を供給させ、かつ前記第二の電源部に前記第二の部品への電力を遮断させることと、
前記オン電源モードの前記指示を受信した場合に、前記第一の電源部および前記第二の電源部を制御することによって、前記第一の部品および前記第二の部品に電力を供給することと、をさらに含む、請求項１７記載の方法。
【請求項２１】
前記電源モード選択受信部からオフ電源モードの指示を受信して、前記第一の部品および前記第二の部品への電力を遮断することと、
前記第一の部品および前記第二の部品を含む前記電子装置についてのパワーオンイベントに関する情報を受信することと、
前記パワーオンイベントに関する前記情報に基づいて、前記第一の電源部に前記第一の部品に電力を供給さ、かつ前記第二の電源部に前記第二の部品への電力を遮断させるように制御することと、をさらに含む、請求項１７記載の方法。
【請求項２２】
前記電源モード選択受信部から前記オフ電源モードの前記指示を受信すると、前記パワーオンイベントに関する前記情報を受信することをさらに含み、前記パワーオンイベントが前記電子装置についてのスケジュールされた記録を含む、請求項２１記載の方法。
【発明の詳細な説明】
【技術分野】
【０００１】
関連出願の相互参照
本願は、２０１１年３月９日出願の米国仮出願第６１／４５０，８１４号の優先権を主張するものであり、その開示はその全体が参照により本明細書に組み入れられる。
【０００２】
開示の実施態様は、一般的に、電子装置のための電源管理に関する。より具体的には、開示の実施態様は、遠隔制御される電子装置における消費電力の低減に関する。
【背景技術】
【０００３】
近年、エネルギー費が上昇しており、エネルギー消費の環境影響がより理解されるようになってきた。その結果、コストを節約し、環境を保護するために、エネルギー消費を低減することが望ましい。しかしながら、例えば、デジタル装置、例えば、増幅器、ラジオ、テレビ受信機、音声／ビデオ受信機、ビデオカセットレコーダ（ＶＣＲ）、デジタル多用途ディスク（ＤＶＤ）プレーヤ、デジタルビデオテープレコーダ（ＤＶＲ）、ゲーム機などを含む従来の電子装置は、電源「オフ」のときでさえエネルギーを消費している。
【０００４】
例えば、従来の電子装置ではパワーオフのときでも、装置内の特定の部は依然としてパワーオンであり、それ故、エネルギーを消費し、電源、例えば、コンセントから電力を取り出し続ける。従来の電子装置では、例えば、装置上のまたはリモコン上の電源ボタンを押すか、装置の電源をオンにするユーザに対して確実に装置が迅速に応答できるようにするために、これらの部の電源をオンに保持することができる。例えば、従来の電子装置には多くの場合に、装置がパワーオフのときに特定の部に電力を供給する回路にリモコンセンサが組み込まれている。従って、特定の部は、装置がパワーオフモードにある間に電力を取り出すことが可能である。
【発明の概要】
【発明が解決しようとする課題】
【０００５】
従来の電子装置におけるこのセットアップは、エネルギー消費に劇的効果を与える。例えば、装置がパワーオフのときでさえも、特定の部品およびリモコンセンサの両方が電力を取り出し続けるため、従来の電子装置は、パワーオフの間にそれらの定格エネルギーの約４５％を消費する傾向があり、大量のエネルギーを消費する。
【課題を解決するための手段】
【０００６】
開示の実施態様と整合するシステムおよび方法は、第一の部品に電力を供給可能な第一の電源部、および第二の部品に電力を供給可能な第二の電源部を提供できる。電源モード選択受信部は、選択された電源モードの指示を受信可能であってもよい。切り替え部は、受信した選択された電源モードに基づいて２つの電源部を制御できる。電源モード選択受信部および切り替え部には、第一および第二の電力部品とは独立して電力を供給することができる。これにより、オフ電源モードでは、電源モード選択受信部および切り替え部が電力を受信している間、主要部および待機部からの電力は遮断される。
【０００７】
一部の実施態様では、入力、例えば、リモコンにおいて、ユーザに、電子装置の電源を管理するための３つの選択候補を提供する。第一の選択候補はオンモードでもよい。ユーザのオンモードの選択に応答して、切り替え部は、電源部を制御することによって、メインおよび待機部の両方に電力を供給することができる。第二の選択候補はスタンバイモードでもよい。スタンバイモードでは、切り替え部切り替え部は、電源部を制御することによって、待機部に電力を供給し、かつ主要部からの電力を遮断することができる。第三の選択候補はオフモードでもよい。オフモードでは、切り替え部は、電源部を制御することによって、主要部および待機部の両方からの電力を遮断することができる。３つのモード全てにおいて、電源モード選択受信部および切り替え部には独立して電力を供給することができる。
【０００８】
開示の実施態様の追加の目的および利点は、以下の記述においてある程度説明され、その記述からある程度は明らかとなるか、または開示の実施態様を実施することによって知ることができる。実施態様の目的および利点は、特に添付の請求項に指摘される要素および組み合わせを用いて認識および実現される。
【０００９】
前述の概要および以下の詳細な説明の両方が、単に例示的かつ説明的なものであり、請求項を制限しないことが理解される。
【００１０】
この明細書に組み込まれ、その一部を構成する添付図面は、いくつかの実施態様を例証し、記述と共に、実施態様の原理の説明に役立つものである。図面を以下に説明する。
【図面の簡単な説明】
【００１１】
【図１】開示の実施態様と整合する電子システムを示す例示的な図である。
【図２】開示の実施態様と整合する入力装置の例示的な実施態様を示す例示的な図である。
【図３】開示の実施態様と整合する電源モード選択回路を示す図である。
【図４】開示の実施態様と整合する、切り替え部を示す例示的なブロック図である。
【図５】開示の実施態様と整合する例示的な電源モード選択プロセスを示す例示的な図である。
【図６】開示の実施態様と整合する別の例示的な電源モード選択プロセスを示す例示的な図である。
【発明を実施するための形態】
【００１２】
開示の実施態様は、パワーオフ時に電子装置が消費するほぼ全ての電力を低減するための機能を提供できる。開示の実施態様と整合するシステムおよび方法では、電源モード選択受信部、例えば、入力装置からのコマンドを受信するセンサに電力を供給する。電源モード選択受信部は、電子装置内の他の部とは独立してコマンドを受信する。これにより、電源モード選択受信部が電力を受信している間、他の部品の一つまたは複数は電力を全く受信しないことが可能になる。ここで例示的な実施態様を詳細に参照し、その例を添付図面に例証する。可能な限り、図面全体を通して同一の参照番号を用いて同一または同等の部品を参照する。
【００１３】
図１は、開示の実施態様と整合する電子システム１００を示す図である。電子システム１００は、ネットワーク１３０を経由して一つまたは複数の電子装置１２０に接続された入力装置１１０を含むことができる。入力装置１１０は、ネットワーク１３０を経由して電子装置１２０の一つまたは複数と通信し、電子装置１２０における種々の設定、例えば、例えば、電力設定を変更することができる。
【００１４】
一部の実施態様では、電子システム１００は家庭用娯楽システムでもよい。この例では、電子装置１２０ａ、１２０ｂ、１２０ｃ、１２０ｄおよび１２０ｅは、それぞれ、テレビ受信機、音声／映像受信機、ＤＶＤプレーヤ、ＶＣＲ、およびＤＶＲでもよい。一実施態様では、他の種類の電子装置、例えば、セットトップボックス、ビデオゲーム機、音楽再生装置などをシステム１００に実装できる。入力装置１１０がネットワーク１３０を経由して電子装置１２０と通信することによって、ユーザは電子装置１２０と相互作用することが可能になる。例えば、一部の実施態様では、ユーザは入力装置１１０を利用して、電子装置１２０ごとに現行の電源モードを選ぶことが可能になる。電源モードは、例えば、オンモード、スタンバイモード、およびオフモードを含むことができる。
【００１５】
装置がオンモードのときは、装置はユーザの観点から機能可能である。例えば、オンモードでは、装置内のほとんどまたは全ての部品は電力を受信できる。装置がスタンバイモードのときは、装置はユーザの観点からして機能的とはならないが、装置をオンモードにスイッチングするユーザに応答して装置が迅速に機能的になるように、装置内の一部の部品は電力を受信できる。例えば、スタンバイモードでは、装置は、その部品のサブセットに電力を供給することができるが、他の部品には電力を供給しない。装置がオフモードのときは、装置はユーザの観点からして機能的とはならない。さらに、オフモードでは、装置は、スタンバイモードにおいて電力を供給される部品のより小さいサブセットに電力を供給することができる。例えば、一実施態様では、オフモードでは、装置は、入力装置１１０からの入力の受信に必須の部品のみに電力を供給することができる。
【００１６】
電子装置１２０は、各々、種々の部品（図示せず）を有することができる。一部の実施態様では、これらの部品は、２つ以上のグループに分割することができる。例えば、特定の実施態様では、電子装置１２０は、各々、一つまたは複数の主要部、および一つまたは複数の待機部を有することができる。主要部は、比較的迅速にパワーオンおよびオフできる電子部品を含むことができ、一方で、待機部は、パワーオン後操作可能になるのにより長い時間を要する電子部品を含むことができる。例えば、待機部は、操作可能になる前の起動に追加の時間が必要なブータブル電子装置を含むことができる。以下により詳細に説明するように、主要部は、オンモードでは電力を受信できるが、オフまたはスタンバイモードのいずれかでは電力を受信しない。同様に、待機部は、オンおよびスタンバイモードでは電力を受信できるが、オフモードでは電力を受信しない。
【００１７】
ネットワーク１３０は、有線または無線通信機構の任意の１つまたはその組み合わせを含むことができる。例えば、ネットワーク１３０は、無線ネットワーク、例えば、赤外線（ＩＲ）、ラジオ周波数（ＲＦ）、マイクロ波、例えば、ブルートゥース（登録商標）もしくはＩＥＥＥ８０２．１１プロトコルを採用するセルラーおよび／または無線ネットワークを含むことができる。同様に、ネットワーク１３０は、有線ネットワーク、例えば、ツイストペア線、同軸ケーブル、光ファイバおよび／またはデジタルネットワークを含むことができる。また、ネットワーク１３０は、任意のローカルエリアネットワーク、広域ネットワーク、キャンパスエリアネットワーク、またはインターネットに組み込まれてもよく、入力装置１１０が電子装置１２０とは異なる位置にあるときに、入力装置１１０と電子装置１２０との通信を可能にする。
【００１８】
図１には１つの入力装置１１０を示したが、システム１００は、任意の数の入力装置１１０を用いることができる。例えば、一部の実施態様では、１つの入力装置１１０が複数の電子装置１２０を制御でき、他の実施態様では、入力装置１１０が、単一電子装置１２０、例えば、例えば、電子装置１２０ａを制御できる。同様に、図１には５個の電子装置１２０ａ〜１２０ｅを示したが、システム１００は、任意の数の電子装置を含むことができる。
【００１９】
同様に、入力装置１１０は、入力を電子装置１２０の一つまたは複数に送信するためにユーザが用いることができる任意の種類の装置でもよい。例えば、一部の実施態様では、入力装置１１０は、ユーザが電子装置１２０と無線で通信することが可能なリモコンでもよい。しかしながら、入力装置１１０はリモコンに限定されず、例えば、キーボード、マウス、パーソナルコンピュータ、携帯電話、スマートフォン、携帯情報端末、タブレット、音声コマンドを受信する入力、ビデオゲーム機のコントローラなどを含むことができる。
【００２０】
図２は、特定の開示の実施態様と整合する、リモコンとして構成された入力装置１１０の例示的な実施態様を示す。入力装置１１０は、出力部２１０、および複数のボタン、例えば、例えば、ボタン２３０、２４０、２５０および２６０を含むことができる前面２２０を含む。ユーザは、ボタン２３０〜２６０の一つまたは複数を選択することによって、電子装置１２０の一つまたは複数の設定を変更することができる。ユーザのボタン選択に応答して、入力装置１１０は、選択された設定変更を示す電子信号を、出力部２１０を経由して電子装置１２０の一つまたは複数に送信することができる。入力装置１１０の構成、フォーマット、設計、および「ルックアンドフィール」は、図２に示すものに限定されず、そのような特徴は、開示の実施態様と整合するように変化し得る。
【００２１】
一部の実施態様では、出力部２１０は、ネットワーク１３０を経由して、赤外線信号を電子装置、例えば、電子装置１２０ａに送信可能な赤外線発光ダイオード（ＬＥＤ）を含むことができる。例えば、データを符号化するために赤外線信号を調節することができ、この信号は電子装置１２０ａが受信できる。他の通信プロトコルおよびコンポーネント、例えば、ブルートゥース（登録商標）、ＩＥＥＥ８０２．１１なども用いることができる。
【００２２】
一実施態様では、入力装置１１０は、ユーザが電子装置を異なる電源状態に定めることが可能な電源ボタンを含むことができる。例えば、入力装置１１０は、オンボタン２３０、スタンバイボタン２４０、およびオフボタン２５０を含むことができる。一部の実施態様では、オンボタン２３０およびスタンバイボタン２４０は、選択されたときに２つの電源状態の間をトグルスイッチで切り替える単一ボタンに組み合わせることができる。ユーザは、オンボタン２３０を選択することによって電子装置をオンモードに定め、スタンバイボタン２４０を選択することによってスタンバイモードに定め、オフボタン２５０を選択することによって電子装置をオフモードに定めることができる。異なる電源モードを以下により詳細に説明する。
【００２３】
ボタン２６０は、電子装置に関する種々の他の設定オプションを含むことができる。ボタン２６０の配置、数および選択は、例えば、制御される電子装置（１つ以上）の種類に応じて変化させることができる。
【００２４】
ボタン２３０〜２６０は、ユーザの入力を受信可能な任意の入力機構でもよい。例えば、一部の実施態様では、ボタン２３０〜２６０は、ユーザが押圧して図２に示す選択候補を示すことができる物理的ボタンでもよい。他の実施態様では、一つまたは複数のボタン２３０〜２６０を、電子表示部、例えば、タッチスクリーンに組み込んでもよいし、例えば、一つまたは複数のボタン２３０〜２６０を、ユーザが選択するためのスクリーン上のアイコンとして表示してもよい。ある実施態様では、ボタン２３０〜２６０を、物理的ボタンおよびタッチスクリーンの両方に組み込んでもよい。ある実施態様では、入力装置１１０は、ボタンの代わりに、ユーザからの入力を受信する音声認識および／またはジェスチャー認識を用いることができる。
【００２５】
図３は、開示の実施態様と整合する例示的な電源モード選択回路３００を示す。一実施態様では、電源モード選択回路３００は、電源入力３１０、安定化ダイオード３２０、変圧器３３０、電源モード選択受信部３４０、切り替え部３６０、メインスイッチ３７０、スタンバイスイッチ３７５、電源線３９１、３９３、３９４、３９７および３９８、ならびに通信線３９２、３９５および３９６を含む。これらの部品を、図３に関して以下により詳細に記述する。
【００２６】
電源モード選択回路３００は、電子装置、例えば、電子装置１２０の一つまたは複数に含まれ、例えば、規定の電力設定に基づいて電子装置内の種々の部品に電力を供給することができる。例えば、電子装置は、一つまたは複数の主要部３８０、および一つまたは複数の待機部３８５を含むことができ、これらの両方は、電源モード選択回路３００によって電力が供給される。主要部３８０または待機部３８５のいずれかとしての電気部品の識別は、異なる電子装置１２０および異なる実施態様の間で変化し得る。
【００２７】
例えば、ＤＶＤプレーヤは、いくつかの部品、例えば、マイクロプロセッサ、ビデオエンコーダおよびデコーダ、ＤＶＤトレイモータ、音声システム、ＤＶＤレンズリーダ、インターネット接続、ＲＡＭ、フラッシュメモリなどを含むことができる。一実施態様では、主要な電気部品、例えば、マイクロプロセッサおよびＲＡＭが主要部３８０でもよく、全ての他の部品が待機部３８５でもよい。
【００２８】
別の実施態様では、主要部３８０は、比較的迅速にパワーオフおよびパワーオンできる一つまたは複数の電子部品を含むことができ、一方で、待機部３８５は、パワーオン後に操作可能になるのにより長い時間を要する一つまたは複数の電子部品を含むことができる。ＤＶＤプレーヤの例では、主要部３８０は、マイクロプロセッサ、ＲＡＭおよびクロックを含むことができ、待機部３８５は、全ての他の部品を含むことができる。
【００２９】
別の実施態様では、主要部３８０は、ある主要な部品、およびオフモード時でさえも電気装置にある機能性を実行させることが可能な部品を含むことができる。ＤＶＤプレーヤの例では、マイクロプロセッサ、主要部３８０は、ＲＡＭ、クロック、ＤＶＤトレイモータ、およびネットワーク接続（例えば、インターネット）が可能な部品を含むことができ、待機部３８５は、ＤＶＤプレーヤに含まれる全ての他の部品を含むことができる。従って、ユーザは、オフモード時でさえも、なおもＤＶＤトレイを開閉することが可能であり、ＤＶＤプレーヤはインターネット接続を維持することができる。
【００３０】
一部の実施態様では、電源モード選択回路３００によって、ユーザは主要部３８０および待機部３８５を選択的にパワーオンおよびパワーオフすることが可能である。しかしながら、他の実施態様では、電源モード選択回路３００によって、ユーザは、より低電力の消費モードにおいて、主要部３８０および／または待機部３８５に選択的に電力を供給することが可能である。例えば、前述のＤＶＤプレーヤの例では、電源モード選択回路３００は、クロックを完全に操作可能であるが、ＤＶＤトレイを開けるのには不十分な電力を部品に供給することができる。
【００３１】
図３には図示しないが、一部の実施態様では、主要部３８０および／または待機部３８５は、ネットワーク、例えば、インターネットに通信的に接続することができる。主要部３８０および／または待機部３８５は、ネットワークを経由して情報を取得することによって、パワーオン後により早く操作可能になることができる。例えば、主要部３８０および／または待機部３８５は、ネットワークから日付、時刻および位置情報を取得できる。一部の実施態様では、主要部３８０および待機部３８５は、電源モード選択回路３００とは分離している電子装置１２０に組み込まれているネットワーク接続を経由してネットワークに接続することができる。他の実施態様では、主要部３８０および待機部３８５は、切り替え部３６０を経由してネットワークに接続することができる。そのような実施態様では、切り替え部３６０は、ネットワークから情報を取得し、その情報を、切り替え部３６０と主要部３８０および／または待機部３８５との間の有線または無線接続を経由して主要部３８０および／または待機部３８５に送信できる。
【００３２】
電源モード選択回路３００によって、ユーザまたは他の入力形態に応答した選択的な電源制御が可能となり、主要部３８０および待機部３８５を独立してパワーオンおよびパワーオフできる。一実施態様では、選択的な電源制御は、分離スイッチ、例えば、例えば、メインスイッチ３７０およびスタンバイスイッチ３７５によって実行できる。スイッチ３７０および３７５は、各々、任意の種類のスイッチング素子、例えば、固体スイッチング素子、例えば、アナログスイッチ、ソリッドステートリレー、金属酸化膜半導体電界効果トランジスタ（ＭＯＳＦＥＴ）などを用いて実装できる。
【００３３】
さらに、図３には２つのスイッチ３７０および３７５を示すが、任意の数のスイッチを用いることができる。一部の実施態様では、スイッチ３７０および３７５を、任意の数の入力および出力を有する単一スイッチに組み合すことができる。例えば、一実施態様では、スイッチは、通信線３９５および３９６に対応し得る２つの入力、およびオン、オフ、およびスタンバイモードのいずれかにその各々が対応する３つの異なる出力モードを有する２つの物理的出力を含むことができる。別の実施態様では、主要部３８０および主要部３８５両方への電力を遮断可能な追加のスイッチをそのような位置である電源線３９４上に位置付けしてもよい。切り替え部３６０は、例えば、この追加のスイッチも制御できる。この実施態様では、切り替え部３６０がオフモードに切り替わると、切り替え部３６０は電源線３９４上のスイッチを開放することによって、主要部３８０および待機部３８５への電力を遮断することができる。
【００３４】
電源モード選択回路３００は、電源から電力を取り出す電源入力３１０を含むことができる。例えば、電源入力３１０は、標準規格１１０／１２０ボルト電源出力、１２ボルト電源、または任意の他の種類の外部電源と接続するユーティリティプラグを含むことができる。ダイオード３２０によって電流を安定させて変圧器３３０に送り込むことができる。変圧器３３０は、交流電流（ＡＣ）を、例えば、電子装置が用いることができる直流電流（ＤＣ）に変換することができる。図３には１つのダイオード３２０および１つの変圧器３３０を示すが、任意の数および異なる種類のダイオードおよび変圧器を用いてもよい。さらに、ある実施態様では、ダイオード３２０および／または変圧器３３０は、電源モード選択回路３００に含まれなくてもよい。
【００３５】
変圧器３３０は、直流電流を電源モード選択回路３００の他の部品に出力できる。例えば、変圧器３３０は、電源線３９１を経由して電源モード選択受信部３４０に電力を供給し、電源線３９３を経由して切り替え部３６０に電力を供給し、電源線３９４を経由してメインスイッチ３７０およびスタンバイスイッチ３７５に電力を供給することができる。この構成では、電源モード選択受信部３４０および切り替え部３６０には、主要部３８０および待機部３８５とは別の分離回路を経由して電力を供給することができる。これにより、電源モード選択受信部３４０および切り替え部３６０には、主要部３８０および待機部３８５とは独立して電力を供給することが可能になる。
【００３６】
電源モード選択受信部３４０は、電源モード選択回路３００を含む電子装置についての電源モード選択に関する入力を受信可能な。例えば、ユーザは、入力装置１１０上の電源モードボタン（例えば、ボタン２３０、２４０および２５０）を選択することによって、電子装置についてのある電源モードを選択することができる。入力装置１１０は、ネットワーク１３０を経由して電源モード選択受信部３４０が受信できる情報を送信できる。例えば、入力装置１１０が赤外線によって情報を送信する実施態様では、電源モード選択受信部３４０は、赤外線パルスを受信し、それらを電子信号に転換可能なフォトダイオードを含むことができる。先に論じたように、一部の実施態様では、他の通信プロトコル、例えば、ブルートゥース（登録商標）、ＩＥＥＥ８０２．１１などを用いることができる。これらの実施態様では、電源モード選択受信部３４０は、これらのプロトコルの一つまたは複数によって入力装置１１０からの情報を受信し、それらを回路３００が使用可能な電子信号に転換可能な受信機を含むことができる。他の実施態様では、他の機構、例えば、電子装置上の手動の選択ボタンまたは同等のものによって、ユーザは、電源モード選択受信部３４０に入力できる。または、インターネットを経由して遠隔から入力できる。後者の例では、電源モード選択受信部３４０は、電子装置から遠隔に位置付けられたユーザ、例えば、移動中であり、公知のインターネット機構を利用するユーザからのインターネットからの入力を受信し、ユーザは、ユーザの選択を提供または中継するウェブサービスまたはスマートフォンアプリケーションによって、インターネット通信機構を経由して電源モード選択受信部３４０に入力することができる。
【００３７】
電源モード選択受信部３４０は、通信線３９２を経由して切り替え部３６０と通信的に連結できる。電源モード選択受信部３４０は、例えば、入力装置１１０から受信した入力に基づいて、一つまたは複数のコマンドを切り替え部３６０に送信できる。例えば、電源モード選択受信部３４０は、外部電源、例えば、リモコンから受信した入力に基づいて、切り替え部３６０に指示して、オンモード、オフモード、またはスタンバイモードを入力させることができる。
【００３８】
切り替え部３６０は、電源モード選択受信部３４０から受信した入力に応答して、メインスイッチ３７０および／またはスタンバイスイッチ３７５を開放および／または閉鎖するように命令することができる。切り替え部３６０は、主制御線３９５を経由してメインスイッチ３７０を制御でき、スタンバイ制御線３９６を経由してスタンバイスイッチ３７５を制御できる。
【００３９】
例えば、入力装置１１０は、オンモードを表す信号を電源モード選択受信部３４０に送信できる。電源モード選択受信部３４０は、この信号に応答して、切り替え部３６０に指示して、電子装置をオンモードに定めさせることができる。切り替え部３６０は、それに応じて、主制御線３９５を経由して第一の制御信号をメインスイッチ３７０に送信できる。第一の制御信号は、メインスイッチ３７０を閉じるように命令することによって、主電源線３９７を経由して主要部３８０に電力を供給することができる。切り替え部３６０はまた、スタンバイ制御線３９６を経由して第二の制御信号をスタンバイスイッチ３７５に送信できる。第二の制御信号は、スタンバイスイッチ３７５を閉じるように命令することによって、スタンバイ電源線３９８を経由して待機部３８５に電力を供給することができる。
【００４０】
同様に、入力装置１１０は、スタンバイモードを表す信号を電源モード選択受信部３４０に送信できる。電源モード選択受信部３４０は、この信号に応答して、切り替え部３６０に指示して、電子装置をスタンバイモードに定めさせることができる。切り替え部３６０は、主制御線３９５を経由して第一の制御信号をメインスイッチ３７０に送信できる。第一の制御信号は、メインスイッチ３７０を開くように命令することによって、主要部３８０への電力を遮断することができる。切り替え部３６０は、スタンバイ制御線３９６を経由して第二の制御信号をスタンバイスイッチ３７５に送信できる。第二の制御信号は、スタンバイスイッチ３７５を閉じるように命令することによって、スタンバイ電源線３９８を経由して待機部３８５に電力を供給することができる。
【００４１】
同様に、入力装置１１０は、オフモードを表す信号を電源モード選択受信部３４０に送信できる。電源モード選択受信部３４０は、この信号に応答して、切り替え部３６０に指示して、電子装置をオフモードに定めさせることができる。切り替え部３６０は、主制御線３９５を経由して第一の制御信号をメインスイッチ３７０に送信できる。第一の制御信号は、メインスイッチ３７０を開くように命令することによって、主要部３８０への電力を遮断することができる。切り替え部３６０は、スタンバイ制御線３９６を経由して第二の制御信号をスタンバイスイッチ３７５に送信できる。第二の制御信号は、スタンバイスイッチ３７５を開くように命令することによって、待機部３８５への電力を遮断することができる。従って、オフモードでは、主要部３８０および待機部３８５は、いかなる電源も受信しない。しかしながら、電源モード選択受信部３４０および切り替え部３６０には、主要部３８０および待機部３８５に電力を供給する回路とは分離した回路によって電力が供給されるため、電源モード選択受信部３４０および切り替え部３６０は、なおも電力を取り出すことができる。
【００４２】
電源モード選択受信部３４０および切り替え部３６０は、分離部として図３に示す。しかしながら、一部の実施態様では、それらを単一部に組み込むことができる。さらに、切り替え部３６０は、電源モードに関する入力を受信し、その入力に基づいて種々の部品に供給される電力を制御可能な任意の種類のハードウェアおよび／またはソフトウェアを含むことができる。一部の実施態様では、切り替え部３６０は、配線で接続された回路網、例えば、特定用途向け集積回路（ＡＳＩＣ）を含むことができる。他の実施態様では、切り替え部３６０は、プロセッサによって実施される指示を記憶する、ソフトウェアを記憶するメモリを含むことができる。
【００４３】
先に論じたように、切り替え部３６０は、種々の技術を用いて実装できる。図４は、開示の実施態様と整合する、プロセシングおよびメモリ機能を含むことができる切り替え部３６０の一実施態様の例示的なブロック図である。示すように、切り替え部３６０は、入力４１０、メイン出力４２０、スタンバイ出力４３０、電源入力４４０、プロセッサ４５０、およびメモリ４６０を含むことができる。入力４１０は、電源モードを示す制御信号を受信可能な任意の入力部品でもよい。例えば、入力４１０は、電源モード選択受信部３４０からの制御信号を受信できる。一部の実施態様では、電源モード選択受信部３４０および切り替え部３６０は、一つの部品に組み合わせてもよく、入力４１０は、例えば、ネットワーク１３０を経由して入力装置１１０からの制御信号を受信できる。入力装置１１０がリモコンである場合の実施態様では、入力４１０は、リモコンからの入力を受信するフォトダイオードを含むことができる。
【００４４】
メイン出力４２０は、電子装置内の一つまたは複数の主要部に供給される電力を制御するための制御信号を送信可能な任意の出力部でもよい。例えば、プロセッサ４５０は、メイン出力４２０に命令して主制御線３９５を経由して制御信号を送信させることによって、メインスイッチ３７０の状況を制御できる。同様に、スタンバイ出力４３０は、電子装置内の一つまたは複数の待機部への電源を制御するための制御信号を送信可能な任意の出力部でもよい。例えば、プロセッサ４５０は、スタンバイ出力４３０に命令してスタンバイ制御線３９６を経由して制御信号を送信させることによって、スタンバイスイッチ３７５の状況を制御できる。
【００４５】
電源入力４４０は、切り替え部３６０のための電力を受信できる。例えば、電源入力４４０は、主要部３８０および待機部３８５に電力を供給する回路とは分離した回路によって電力を受信できる。このため、切り替え部３６０には、主要部３８０および待機部３８５とは独立して電力を供給することができる。
【００４６】
プロセッサ４５０は、一つまたは複数の公知のプロセシング装置、例えば、インテル（商標）によって製造されたＰｅｎｔｉｕｍ（商標）もしくはＸｅｏｎ（商標）ファミリからのマイクロプロセッサ、ＡＭＤ（商標）によって製造されたＴｕｒｉｏｎ（商標）ファミリ、または任意の他の種類のプロセッサでもよい。メモリ４６０は、開示の実施態様に関連するある機能を実行するための、プロセッサ４５０によって用いられる情報を記憶するように構成された一つまたは複数の有形ストレージ装置でもよい。一部の実施態様では、メモリ４６０は、切り替え部３６０のプロセッサ４５０によって実施されると、開示の実施態様と整合する種々の処理、工程またはプロセスを実行する一つまたは複数の電源モード選択プログラムを含むことができる。
【００４７】
一実施態様では、メモリ４６０は、異なる電子装置ごとに種々の電源モードを選択するために、プロセッサ４５０によって用いられる情報も記憶できる。例えば、メモリ４６０は、電子装置をオフモードまたはスタンバイモードに定めることが適切か否かを判定するための、パワーオンイベントに関する情報を含むことができる。パワーオンイベントは、電子装置をパワーオンする必要がある将来の時刻でもよく、パワーオンがスケジュールされる時刻などである。例えば、電子装置がＤＶＲである場合の実施態様では、メモリ４６０は、スケジュールされたＤＶＲレコーディングに関する情報を記憶できる。ユーザが電子装置の電源を完全に切ることを試みる場合には、代わりに、切り替え部３６０が、電子装置をスタンバイモードに入れることができるため、レコーディングをスケジュールどおりに行うことができる。さらに、一部の実施態様では、メモリ４６０はスケジュールされたＤＶＲレコーディングに関する情報を記憶でき、メモリ４６０に記憶されているプログラムを実施するプロセッサ４５０は、スケジュールされた記録に基づいてオフモードからスタンバイモードにＤＶＲを自動的に切り替えるコマンドを生成することができる。
【００４８】
前述の実施態様では、メモリ４６０は、ＤＶＲレコーディングスケジュール全体、またはＤＶＲレコーディングスケジュールに関連する情報のサブセットを記憶できる。例えば、ＤＶＲは分離メモリを含むことができ、これは主要部３８０または待機部３８５に含まれることができ、例えば、これらはＤＶＲレコーディングスケジュールを記憶する。一部の実施態様では、切り替え部３６０は、分離メモリからＤＶＲレコーディングスケジュールに関連する情報を取得できる。例えば、切り替え部は、スケジュール全体を取得する代わりに、次のパワーオンイベント、次の２つのパワーオンイベント、または任意の数の次のパワーオンイベントを取得できる。この情報は、任意の時刻、例えば、切り替え部３６０が主要部３８０および／または待機部３８５への電力を遮断するコマンドを送信する前、または電源モードを変更するたびに取得することができる。例えば、切り替え部３６０は、電源モード選択受信部から、例えば、ある電源モードから別の電源モードに変更するためのコマンドを示す制御信号を受信できる。切り替え部３６０は、コマンドを含む制御信号の受信に応答し、例えば、この情報に関するクエリを作成してＤＶＲのメモリ、または任意の他の装置に送ることによって、ＤＶＲレコーディングスケジュールに関連する情報（例えば、次のパワーオンイベントの一つまたは複数）を取得できる。この任意の他の装置には、例えば、ＤＶＲから遠隔に位置付けられ、ネットワーク、例えば、インターネットを経由して、ＤＶＲレコーディングスケジュールを記憶するデータベースが含まれる。ＤＶＲレコーディングスケジュールに関連する情報は、その後、メモリ４６０に記憶することができる。先に論じたように、この情報を用いて、切り替え部３６０がオフモードの代わりにスタンバイモードを入力すべきか否か、および装置をオフモードからオンモードに自動的に切り替えるか否かを判定できる。
【００４９】
メモリ４６０は、オフモードからオンモードに移行した後に、部品、例えば、待機部３８５がより迅速に操作可能になるのを支援するのに用いられる情報も記憶できる。例えば、メモリ４６０は、情報、例えば、日付、時刻および位置を含むことができ、それらがオフモードから移行したときに、この情報を待機部３８５に提供することができる。
【００５０】
図５は、開示の実施態様と整合する例示的な電源モード選択プロセス５００を示す。一実施態様では、プロセス５００は、例えば、電源モード選択回路３００によって実行することができる。プロセスは、電源モード選択受信部３４０が電源状態に関する入力を受信するステップ５１０において開始することができる。例えば、電源モード選択受信部３４０は、ネットワーク１３０を経由して入力装置１１０から入力を受信できる。電源モード選択受信部３４０は、この入力に基づいて、例えば、切り替え部３６０にコマンドを送信できる。しかしながら、論じたように、電源モード選択受信部３４０および切り替え部３６０はまた、一つの部品でもよい。
【００５１】
ステップ５２０において、切り替え部３６０は、受信した入力がオフ、オン、またはスタンバイモードのいずれを示しているかを判定する。入力がオンモードを示している場合には、ステップ５３０に示すように、切り替え部３６０は、主要部３８０および待機部３８５に電力を供給することができる。例えば、切り替え部３６０は、主制御線３９５を経由して第一の制御信号をメインスイッチ３７０に送信できる。第一の制御信号は、メインスイッチ３７０を閉じるように命令することによって、主電源線３９７を経由して主要部３８０に電力を供給することができる。切り替え部３６０は、スタンバイ制御線３９６を経由して第二の制御信号をスタンバイスイッチ３７５に送信することもできる。第二の制御信号は、スタンバイスイッチ３７５を閉じるように命令することによって、スタンバイ電源線３９８を経由して待機部３８５に電力を供給することができる。
【００５２】
ステップ５２０において入力がスタンバイモードを示していることを切り替え部３６０が判定した場合には、ステップ５４０に示すように、切り替え部３６０は、待機部３８５に電力を供給するが、主要部３８０への電力は遮断することができる。例えば、切り替え部３６０は、主制御線３９５を経由して第一の制御信号をメインスイッチ３７０に送信できる。第一の制御信号は、メインスイッチ３７０を開くように命令することによって、主要部３８０への電力を遮断することができる。切り替え部３６０は、スタンバイ制御線３９６を経由して第二の制御信号をスタンバイスイッチ３７５に送信できる。第二の制御信号は、スタンバイスイッチ３７５を閉じるように命令することによって、スタンバイ電源線３９８を経由して待機部３８５に電力を供給することができる。
【００５３】
ステップ５２０において入力がオフモードを示していることを切り替え部３６０が判定した場合には、ステップ５５０に示すように、切り替え部３６０は、主要部３８０および待機部３８５両方への電力を遮断することができる。例えば、切り替え部３６０は、主制御線３９５を経由して第一の制御信号をメインスイッチ３７０に送信できる。第一の制御信号は、メインスイッチ３７０を開くように命令することによって、主要部３８０への電力を遮断することができる。切り替え部３６０は、スタンバイ制御線３９６を経由して第二の制御信号をスタンバイスイッチ３７５に送信できる。第二の制御信号は、スタンバイスイッチ３７５を開くように命令することによって、待機部３８５への電力を遮断することができる。従って、オフモードでは、主要部３８０、待機部３８５は、いかなる電源も受信しない。しかしながら、電源モード選択受信部３４０および切り替え部３６０には、メインおよび待機部に電力を供給する回路とは分離した回路によって電力が供給されるため、電源モード選択受信部３４０および切り替え部３６０は、なおも電力を取り出すことができる。
【００５４】
ステップ５６０において、切り替え部３６０および／または電源モード選択受信部３４０は、別の入力を受信したか否かを判定できる。切り替え部３６０および／または電源モード選択受信部３４０が別の入力を受信していない場合には、ステップ５７０に示すように、切り替え部３６０は現行の電源状態を維持する。ステップ５６０において、切り替え部３６０および／または電源モード選択受信部３４０が別の入力を受信した場合には、プロセスはステップ５２０に戻り、ここで、切り替え部３６０は、どの電源モードが選択されたかを再度判定できる。
【００５５】
図６は、開示の実施態様と整合する別の例示的な電源モード選択プロセス６００を示す。一実施態様では、プロセス６００は、切り替え部３６０の例示的な実施態様、例えば、切り替え部３６０がプロセッサ４５０およびメモリ４６０を含む図４に開示する例示的な実施態様によって実行できる。例えば、メモリ４６０に記憶されているソフトウェアは、プロセッサ４５０によって実施されると、プロセッサ４５０にプロセス６００内の一つまたは複数のステップを実行させる指示を含むことができる。
【００５６】
プロセス６００は、プロセッサ４５０が入力４１０を経由して電源状態に関する入力を受信するステップ６１０において開始できる。例えば、プロセッサ４５０は、入力４１０を経由して電源モード選択受信部３４０からの入力を受信できる。電源モード選択受信部３４０および切り替え部３６０が一つの部品である場合の実施態様では、プロセッサ４５０は、入力４１０を経由して、ネットワーク１３０を通じて入力装置１１０からの入力を受信できる。
【００５７】
ステップ６２０において、プロセッサ４５０は、入力４１０を介して受信した入力がオフ、オン、またはスタンバイモードのいずれを示しているかを判定する。入力がオンモードを示している場合には、ステップ６３０に示すように、プロセッサ４５０は、メイン出力４２０およびスタンバイ出力４３０における出力を制御することによって、主要部３８０および待機部３８５に電力を供給することができる。例えば、プロセッサ４５０は、メイン出力４２０に、主制御線３９５を経由して第一の制御信号をメインスイッチ３７０に送信するように命令できる。第一の制御信号は、メインスイッチ３７０を閉じるように命令することによって、主電源線３９７を経由して主要部３８０に電力を供給することができる。プロセッサ４５０はまた、スタンバイ出力４３０に、スタンバイ制御線３９６を経由して第二の制御信号をスタンバイスイッチ３７５に送信させるようにも命令できる。第二の制御信号は、スタンバイスイッチ３７５を閉じるように命令することによって、スタンバイ電源線３９８を経由して待機部３８５に電力を供給することができる。
【００５８】
ステップ６２０において入力４１０を介して受信した入力がスタンバイモードを示していることをプロセッサ４５０が判定した場合には、ステップ６４０に示すように、プロセッサ４５０は、メイン出力４２０およびスタンバイ出力４３０における出力を制御することによって、待機部３８５に電力を供給するが、主要部３８０への電力は遮断することができる。例えば、プロセッサ４５０は、主制御線３９５を経由して第一の制御信号をメインスイッチ３７０に送信するようにメイン出力４２０に命令することができる。第一の制御信号は、メインスイッチ３７０を開くように命令することによって、主要部３８０への電力を遮断することができる。プロセッサ４５０はまた、スタンバイ出力４３０に、スタンバイ制御線３９６を経由して第二の制御信号をスタンバイスイッチ３７５に送信させるようにも命令できる。第二の制御信号は、スタンバイスイッチ３７５を閉じるように命令することによって、スタンバイ電源線３９８を経由して待機部３８５に電力を供給することができる。
【００５９】
ステップ６２０において入力４１０を介して受信した入力がオフモードを示していることをプロセッサ４５０が判定した場合には、ステップ６５０に示すように、プロセッサ４５０は、任意のパワーオンイベントがあるか否かを判定できる。例えば、先に論じたように、プロセッサ４５０がＤＶＲ内の電源モード選択回路の一部である場合には、プロセッサ４５０は、ＤＶＲのメモリにクエリすることによって、将来にスケジュールされた記録があるか否かを判定できる。ステップ６５０においてパワーオンイベントがあることをプロセッサが判定した場合には、プロセスはステップ６４０に進み、ここで、プロセッサ４５０は、メイン出力４２０およびスタンバイ出力４３０における出力を制御することによって、待機部３８５に電力を供給するが、主要部３８０への電力は遮断することができる。従って、プロセッサ４５０は、ステップ６４０に関して先に記載したようにスタンバイモードに戻る。
【００６０】
ステップ６５０においてパワーオンイベントが無いことをプロセッサ４５０が判定した場合には、ステップ６６０に示すように、プロセッサ４５０は、メイン出力４２０およびスタンバイ出力４３０における出力を制御することによって、主要部３８０および待機部３８５両方への電力を遮断する。例えば、プロセッサ４５０は、メイン出力４２０に、主制御線３９５を経由して第一の制御信号をメインスイッチ３７０に送信するように命令できる。第一の制御信号は、メインスイッチ３７０を開くように命令することによって、主要部３８０への電力を遮断することができる。プロセッサ４５０はまた、スタンバイ出力４３０に、スタンバイ制御線３９６を経由して第二の制御信号をスタンバイスイッチ３７５に送信させるようにも命令できる。第二の制御信号は、スタンバイスイッチ３７５を開くように命令することによって、待機部３８５への電力を遮断することができる。
【００６１】
ステップ６７０において、プロセッサ４５０は、入力４１０において別の入力を受信したか否かを判定する。プロセッサ４５０が入力４１０を経由して別の入力を受信していない場合には、ステップ６８０に示すように、プロセッサ４５０は現行の電源状態を維持する。しかしながら、入力４１０が別の入力を受信した場合には、プロセッサ４５０はステップ６２０に戻り、ここで、プロセッサ４５０は、入力がオフ、オン、またはスタンバイモードのいずれを示しているかを判定し、そして、前述のプロセスを繰り返す。
【００６２】
プロセス６００は例示的なプロセスであり、開示の実施態様と整合するように変更できる。例えば、プロセス６００のステップ６５０において、パワーオンイベントがあることをプロセッサ４５０が判定した場合には、プロセッサ４５０は、ステップ６４０に示すようなスタンバイモードに進む。しかしながら、一実施態様では、プロセッサ４５０は、メモリ４６０内の次のパワーオンイベントを記憶できる。この実施態様では、プロセッサ４５０は、オフモードを示す入力に応答して、ステップ６６０に関して前述したように、オフモードに従いメイン出力４２０およびスタンバイ出力４３０を制御できる。プロセッサ４５０は、別の入力を受信するか、パワーオンイベントが発生した時刻を判定するまで、オフモード状態のままでもよい。入力４１０が別の入力を受信した場合には、プロセッサ４５０は、ステップ４２０に関して論じたように、入力がオンモード、オフモード、またはスタンバイモードのいずれを示しているかを判定できる。しかしながら、入力４１０が別の入力を受信する前の時刻にパワーオンイベントが発生した場合には、ステップ６３０に関して先に論じたように、プロセッサ４５０は、オンモードに自動的に進み、メイン出力４２０およびスタンバイ出力４３０を制御できる。
【００６３】
他の実施態様が、明細書および本明細書に開示の実施態様の実施を考慮することによって当業者に明らかとなる。明細書および実施例が、以下の請求項によって示される開示の実施態様の真の範囲および精神を含む単なる例示的なものとして考慮されることが意図される。例えば、記述した実施態様に一致する、本明細書に開示する部品を含む任意の種類の電子装置を用いることができる。
【図１】
2019208355.tif 000003
【図２】
2019208355.tif 000004
【図３】
2019208355.tif 000005
【図４】
2019208355.tif 000006
【図５】
2019208355.tif 000007
【図６】
2019208355.tif 000008
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
主要部と、
待機部と、
選択された電源モードの指示を受信可能な電源モード選択受信部と、
受信した前記指示と、少なくとも１つの記憶された設定と、に基づいて、第一の電源モードまたは第二の電源モードを判定し、且つ、判定された前記電源モードに基づいて、前記主要部および前記待機部への電力の供給を制御するように、構成された、切り替え部と、を備えており、
前記少なくとも１つの記憶された設定が、スケジュールされたパワーオンイベントに関する情報を含んでおり、前記切り替え部が、更に、前記スケジュールされたパワーオンイベントに関する前記情報に基づいて、前記第一の電源モードまたは前記第二の電源モードを判定するように、構成されており、
前記電源モード選択受信部および前記切り替え部が、前記主要部とは独立して電力を受信する、電源モード制御装置。
【請求項２】
前記電源モード選択受信部が、無線リモコンから入力を受信するように構成されている、
請求項１記載の電源モード制御装置。
【請求項３】
前記第一の電源モードがオフ電源モードであり、
前記切り替え部が前記オフ電源モードを判定すると、前記切り替え部は、前記主要部および前記待機部への電力を遮断する、
請求項１記載の電源モード制御装置。
【請求項４】
更に、第三の電源モードを備えており、
前記第一の電源モードがオフ電源モードであり、
前記第二の電源モードがスタンバイ電源モードであり、
前記第三の電源モードがオン電源モードであり、
前記電源モード選択受信部が、前記オフ電源モードの指示、前記スタンバイ電源モードの指示、または前記オン電源モードの指示の少なくとも１つを受信するように、構成されており、
前記切り替え部が、
前記電源モード選択受信部が前記オフ電源モードの前記指示を受信すると、前記主要部および前記待機部への電力を遮断し、
前記電源モード選択受信部が前記スタンバイ電源モードの前記指示を受信すると、前記主要部への電力を遮断し、
前記電源モード選択受信部が前記オン電源モードの前記指示を受信すると、前記主要部および前記待機部に電力を供給するように、構成されている、
請求項１記載の電源モード制御装置。
【請求項５】
更に、第三の電源モードを備えており、
前記第一の電源モードがオフ電源モードであり、
前記第二の電源モードがスタンバイ電源モードであり、
前記第三の電源モードがオン電源モードであり、
前記切り替え部が、
前記電源モード選択受信部から前記オフ電源モードの指示を受信し、前記主要部および前記待機部への電力を遮断し、
前記主要部および前記待機部を含む電子装置についてのパワーオンイベントに関する情報を受信し、
前記パワーオンイベントに関する前記情報に基づいて、前記待機部に電力を供給し且つ前記主要部への電力を遮断するように、構成されている、
請求項１記載の電源モード制御装置。
【請求項６】
前記スケジュールされたパワーオンイベントが、スケジュールされたメディア記録を含んでいる、
請求項１記載の電源モード制御装置。
【請求項７】
主要部および待機部を有する装置の電源モードを制御するための方法であって、
選択された電源モードの指示を前記装置の電源モード選択受信部から受信することと、
受信した前記指示と、少なくとも１つの記憶された設定と、に基づいて、前記装置の切り替え部によって、第一の電源モードまたは第二の電源モードを判定することと、
判定された前記電源モードに基づいて、前記主要部および前記待機部への電力の供給を制御することと、を含んでおり、
前記少なくとも１つの記憶された設定が、スケジュールされたパワーオンイベントに関する情報を含んでおり、前記切り替え部が、更に、前記スケジュールされたパワーオンイベントに関する前記情報に基づいて、前記第一の電源モードまたは前記第二の電源モードを判定するように、構成されており、
前記電源モード選択受信部および前記切り替え部が、前記主要部とは独立して電力を受信する、方法。
【請求項８】
前記電源モード選択受信部が、無線リモコンから入力を受信するように構成されている、
請求項７記載の方法。
【請求項９】
前記第一の電源モードがオフ電源モードであり、
前記切り替え部が前記オフ電源モードを判定すると、前記切り替え部は、前記主要部および前記待機部への電力を遮断する、
請求項７記載の方法。
【請求項１０】
更に、第三の電源モードを備えており、
前記第一の電源モードがオフ電源モードであり、
前記第二の電源モードがスタンバイ電源モードであり、
前記第三の電源モードがオン電源モードであり、
前記電源モード選択受信部が、前記オフ電源モードの指示、前記スタンバイ電源モードの指示、または前記オン電源モードの指示の少なくとも１つを受信するように、構成されており、
前記切り替え部が、
前記電源モード選択受信部が前記オフ電源モードの前記指示を受信すると、前記主要部および前記待機部への電力を遮断し、
前記電源モード選択受信部が前記スタンバイ電源モードの前記指示を受信すると、前記主要部への電力を遮断し、
前記電源モード選択受信部が前記オン電源モードの前記指示を受信すると、前記主要部および前記待機部に電力を供給するように、構成されている、
請求項７記載の方法。
【請求項１１】
更に、第三の電源モードを備えており、
前記第一の電源モードがオフ電源モードであり、
前記第二の電源モードがスタンバイ電源モードであり、
前記第三の電源モードがオン電源モードであり、
前記切り替え部が、
前記電源モード選択受信部から前記オフ電源モードの指示を受信し、前記主要部および前記待機部への電力を遮断し、
前記主要部および前記待機部を含む電子装置についてのパワーオンイベントに関する情報を受信し、
前記パワーオンイベントに関する前記情報に基づいて、前記待機部に電力を供給し且つ前記主要部への電力を遮断するように、構成されている、
請求項７記載の方法。
【請求項１２】
前記スケジュールされたパワーオンイベントが、スケジュールされたメディア記録を含んでいる、
請求項７記載の方法。
【請求項１３】
実行時に装置の切り替え部に前記装置の電源モードを制御するための動作を実行させる指示を、記憶する、非一時的なコンピュータ可読媒体であって、
前記動作が、
選択された電源モードの指示を前記装置の電源モード選択受信部から受信することと、
受信した前記指示と、少なくとも１つの記憶された設定と、に基づいて、第一の電源モードまたは第二の電源モードを判定することと、
判定された前記電源モードに基づいて、前記装置の主要部および待機部への電力の供給を制御することと、を含んでおり、
前記少なくとも１つの記憶された設定が、スケジュールされたパワーオンイベントに関する情報を含んでおり、前記切り替え部が、更に、前記スケジュールされたパワーオンイベントに関する前記情報に基づいて、前記第一の電源モードまたは前記第二の電源モードを判定するように、構成されており、
前記電源モード選択受信部および前記切り替え部が、前記主要部とは独立して電力を受信する、非一時的なコンピュータ可読媒体。
【請求項１４】
前記電源モード選択受信部が、無線リモコンから入力を受信するように構成されている、
請求項１３記載の非一時的なコンピュータ可読媒体。
【請求項１５】
前記第一の電源モードがオフ電源モードであり、
前記切り替え部が前記オフ電源モードを判定すると、前記切り替え部は、前記主要部および前記待機部への電力を遮断する、
請求項１３記載の非一時的なコンピュータ可読媒体。
【請求項１６】
更に、第三の電源モードを備えており、
前記第一の電源モードがオフ電源モードであり、
前記第二の電源モードがスタンバイ電源モードであり、
前記第三の電源モードがオン電源モードであり、
前記電源モード選択受信部が、前記オフ電源モードの指示、前記スタンバイ電源モードの指示、または前記オン電源モードの指示の少なくとも１つを受信するように、構成されており、
前記切り替え部が、
前記電源モード選択受信部が前記オフ電源モードの前記指示を受信すると、前記主要部および前記待機部への電力を遮断し、
前記電源モード選択受信部が前記スタンバイ電源モードの前記指示を受信すると、前記主要部への電力を遮断し、
前記電源モード選択受信部が前記オン電源モードの前記指示を受信すると、前記主要部および前記待機部に電力を供給するように、構成されている、
請求項１３記載の非一時的なコンピュータ可読媒体。
【請求項１７】
更に、第三の電源モードを備えており、
前記第一の電源モードがオフ電源モードであり、
前記第二の電源モードがスタンバイ電源モードであり、
前記第三の電源モードがオン電源モードであり、
前記切り替え部が、
前記オフ電源モードの指示を前記電源モード選択受信部から受信し、前記主要部および前記待機部への電力を遮断し、
前記主要部および前記待機部を含む電子装置についてのパワーオンイベントに関する情報を受信し、
前記パワーオンイベントに関する前記情報に基づいて、前記待機部に電力を供給し且つ前記主要部への電力を遮断するように、構成されている、
請求項１３記載の非一時的なコンピュータ可読媒体。
【請求項１８】
前記スケジュールされたパワーオンイベントが、スケジュールされたメディア記録を含んでいる、
請求項１３記載の非一時的なコンピュータ可読媒体。
【外国語明細書】
2019208355000001.pdf